(57)【要約】本発明は、磁区拡大媒体（１０）の読み出しの間コピーウィンドウを制御する方法及び装置に関する。ここで外部磁界の切り換え時間は読み取りパルスから導出される。前記読み取りパルスのタイミングにおけるシフトは、コピーウィンドウのサイズを制御するために利用される。これにより、コピーウィンドウのサイズにおける変化による読み出し誤りが防止されることができる。
2005521988.tif 000002
【特許請求の範囲】
【請求項１】
光磁気記録媒体の読み出しの間にコピーウィンドウを制御する方法であって、前記記録媒体は記憶層及び読み出し層を有し、放射パワーによる加熱の際に外部磁界を利用して前記記憶層から前記読み出し層へマーク領域をコピーすることによって、読み取りパルスをもたらす拡大された磁区が前記読み出し層において生成される方法において、
前記読み取りパルスから前記外部磁界の切り換え時間を導出するステップと、
前記読み取りパルスのタイミングにおけるシフトを決定するステップと、
前記決定されたタイミングシフトに基づいて前記コピーウィンドウのサイズを制御するステップと、
を有する方法。
【請求項２】
前記タイミングシフトは、前記切り換え時間と前記読み取りパルスとの間の測定された時間遅延と、前記時間遅延に関連する検出されたスペースのランレングスとの間の差に基づいて決定される、請求項１に記載の方法。
【請求項３】
前記差がゼロより小さい場合には前記コピーウィンドウサイズが所定の量だけ減少させられ、前記差がゼロより大きい場合には前記コピーウィンドウサイズが所定の量だけ増大させられる、請求項２に記載の方法。
【請求項４】
前記タイミングシフトは平均化演算によって得られる、請求項１又は２に記載の方法。
【請求項５】
前記コピーウィンドウサイズは、前記読み出しのために利用される放射パワー及び／又は前記外部磁界を変化させることにより制御される、請求項１又は２に記載の方法。
【請求項６】
前記外部磁界は、磁気ヘッドに供給されるコイル電流を変化させることにより変化させられる、請求項５に記載の方法。
【請求項７】
前記放射パワーの変化が粗い制御機能のために利用され、前記外部磁界の変化が精細な制御機能のために利用され、又はその逆である、請求項５に記載の方法。
【請求項８】
前記所定の量は、ルックアップテーブル又は関数関係から得られる、請求項３に記載の方法。
【請求項９】
前記ルックアップテーブル又は前記関数関係は、前記コピーウィンドウサイズと前記放射パワー及び／又は前記外部磁界との間の関係を定義する、請求項８に記載の方法。
【請求項１０】
前記放射パワーは読み取り速度に基づいて制御される、請求項９に記載の方法。
【請求項１１】
前記ルックアップテーブルは、前記記録媒体の半径と前記放射パワーとの間の関係を定義する、請求項１０に記載の方法。
【請求項１２】
前記ルックアップテーブルは、前記記録媒体の内径と外径との間の内挿を定義する、請求項１０に記載の方法。
【請求項１３】
前記コピーウィンドウのサイズが第１の閾値より大きい場合又は第２の閾値より小さい場合にランレングス違反が決定される、請求項１又は２に記載の方法。
【請求項１４】
前記閾値の違反は、ＤＣフリーの変調符号から信号のランニング・ディジタル・サムを算出することにより検出される、請求項１３に記載の方法。
【請求項１５】
前記コピーウィンドウサイズは、前記記録媒体の予め記録された制御情報を利用して測定又は訂正される、請求項１３又は１４に記載の方法。
【請求項１６】
光磁気記録媒体の読み出しの間にコピーウィンドウを制御する装置であって、前記記録媒体は記憶層及び読み出し層を有し、放射パワーによる加熱の際に外部磁界を利用して前記記憶層から前記読み出し層へマーク領域をコピーすることによって、読み取りパルスをもたらす拡大された磁区が前記読み出し層において生成される装置において、
前記読み取りパルスから前記外部磁界の切り換え時間を導出する手段と、
前記読み取りパルスのタイミングにおけるシフトを決定する手段と、
前記決定されたタイムシフトに基づいて、前記コピーウィンドウのサイズを制御する手段と、
を有する装置。
【請求項１７】
前記決定手段は前記時間のシフトを計数するタイマ手段を有する、請求項１６に記載の装置。
【請求項１８】
前記装置はＭＡＭＭＯＳディスク用のディスクプレイヤである、請求項１６又は１７に記載の装置。
【発明の詳細な説明】
【技術分野】
【０００１】
本発明は、記録又は保存層と拡大又は読み出し層とを有する、ＭＡＭＭＯＳ（Magnetic AMplifying Magneto-Optical System）ディスクのような磁区拡大記録媒体の読み出し動作におけるコピーウィンドウを制御するための方法及び装置に関する。
【背景技術】
【０００２】
光磁気記憶システムにおいては、記録されるマーク（mark）の最小幅は回折限界によって、即ちフォーカスレンズの開口数（ＮＡ）及びレーザの波長によって決定される。前記幅の減少は一般に、より短い波長のレーザ及びより高いＮＡのフォーカス光学素子に基づく。光磁気記録の間、レーザパルス磁界変調（ＬＰ−ＭＦＭ）を利用することにより、最小ビット長は光回折限界より小さく減少させられることができる。ＬＰ−ＭＦＭにおいては、磁界の切り換え、及びレーザの切り換えにより引き起こされる温度勾配によって、ビット遷移が決定される。このようにして記録された小さな三日月型のマークを読み出すために、磁気超解像（Magnetic
Super Resolution、ＭＳＲ）又は磁区拡大（Domain Expansion、ＤｏｍＥｘ）法が提案されてきた。これらの技術は、幾つかの静磁結合又は交換結合したＲＥ−ＴＭ層を持つ記録媒体に基づく。ＭＳＲによれば、光磁気ディスクの読み出し層は読み取りの間隣接するビットをマスクするように構成され、一方磁区拡大によれば、スポットの中央における磁区が拡大される。ＭＳＲに対する磁区拡大手法の利点により、回折限界よりも短い長さを持つビットが、前記回折限界スポットと同等のサイズを持つビットと同様の信号対ノイズ比（ＳＮＲ）を伴って検出されることができる。ＭＡＭＭＯＳは静磁結合された記憶層及び読み出し層に基づいた磁区拡大方法であり、ここでは前記読み出し層における拡大及び拡大された磁区の崩壊のために磁界の変調が利用される。
【０００３】
ＭＡＭＭＯＳのような上述した磁区拡大手法においては、記憶層から書き込まれたマークは外部磁界を利用してレーザ加熱の際に読み出し層へコピーされる。該読み出し層の低い保磁力のため、前記コピーされたマークは光スポットを満たすまで拡大し、前記マークのサイズに依存しない飽和した信号レベルを伴って検出されることができる。前記外部磁界の反転は、前記拡大された磁区を崩壊させる。一方、前記記憶層におけるスペース（space）はコピーされず、拡大も起こらない。それ故、この場合には信号は検出されない。
【発明の開示】
【発明が解決しようとする課題】
【０００４】
読み出し処理において利用されるレーザパワーは、コピーを可能とするために十分高いべきである。一方で高いレーザパワーは、温度により引き起こされる保磁力プロファイルと、ビットパターンの漏れ磁界プロファイルとのオーバラップをも増大させる。温度の増大に伴い、保磁力Ｈｃは減少し、漏れ磁界は増大する。このオーバラップが大きくなりすぎると、隣接するマークによって生成される偽の信号のために、スペースの正常な読み出しはもはや不可能となる。この最大のレーザパワーと最小のレーザパワーとの間の差はパワーマージンを決定する。パワーマージンは、ビット長の減少に伴い強く減少する。実験は、現在の方法を用いると、０．１０μｍのビット長が正常に、しかし実質的にゼロのパワーマージンにおいて（１６ビットＤＡＣのうちの１ビット）検出されることができることを示している。従って、最も高い密度については前記パワーマージンは非常に小さいままであり、そのため読み出しの間の光パワー制御が必須となる。
【０００５】
従来のＭＡＭＭＯＳ読み出しにおいては、外部磁界がチャネルビットのサイズに対応する周期で変調される。従って、ビット決定は各チャネルビット（マーク又はスペース、即ち上向き又は下向き磁化）について為される。しかしながら、ディスク上のビットパターンとの前記外部磁界変調の同期は重要である。例えば、コピー操作の空間的な幅を示すコピーウィンドウが正常な読み出しのための最大サイズに近い場合、小さな位相の誤差が既に偽のピークをもたらす。この同期のために、磁界の時間調節及び／又はトラック中のウォブルが利用されることができる。このようにして、非常に適度な周波数制御が可能であるが、位相の誤差は回避することが非常に困難である。前記外部磁界のより優れた同期を達成するため、前記外部磁界のデータに依存した切り換えを利用して、タイミング情報が例えばディスクのような記録担体上の（ユーザ）データから得られることを可能とする読み出し方法が説明されてきた。例えばクロック発生器、例えば位相ロックループ回路、又はタイミング制御回路用の入力として該情報を利用することにより、同期が改善され得る。
【０００６】
しかしながら、前記記録担体の磁気及び／又は光学特性（例えば層の厚さ）の不均一性のため、レーザダイオードの温度ドリフト又は周囲温度における変化が、コピーウィンドウサイズの変化に導き得る。コピーウィンドウサイズのかような変化は、ＭＡＭＭＯＳ信号（読み取りパルス）のタイミングにおけるシフト、従って外部磁界を同期するために利用されるタイミング情報におけるシフトをも引き起こし、読み出し誤りに導く。
【０００７】
本発明の目的は、コピーウィンドウサイズにおける変化による読み出し誤りが防止され得るような、コピーウィンドウを制御するための方法及び装置を提供することにある。
【課題を解決するための手段】
【０００８】
本目的は、請求項１に記載の本発明による方法を提供することにより、及び本発明による方法を実行するための請求項１６に記載の装置を提供することにより達成される。
【０００９】
従って、コピーウィンドウサイズにおける変化が、読み取りパルスの対応するタイミングシフトから容易に決定されることができる。前記決定されたシフトは次いで前記コピーウィンドウを制御するために利用される。これにより、前記コピーウィンドウのサイズは所望の範囲内に維持されることができる。前記コピーウィンドウサイズの変化は通常、チャネルクロックに比べて非常に遅い。ほこりや指紋のような局所的な汚れのみが該クロック周波数に近づくが、現在の光位相変化記録システムにおけるように、例えば前方感応ダイオードを利用してピックアップシステムの反射された放射パワーを監視することにより、容易に追跡され訂正されることができる。それ故、コピーウィンドウサイズにおける変化による読み取り信号におけるタイミングシフトは、タイミング変化によるシフトから容易に区別され選択されることができ、コピーウィンドウのサイズを制御するために利用されることができる。
【００１０】
前記タイミングシフトは、切り換え時間と読み取りパルスとの間の測定された時間遅延と、前記時間遅延に関連する検出されたスペースのランレングスとの間の差に基づいて決定されても良い。この場合には、前記差がゼロより小さい場合には、コピーウィンドウサイズは所定の量だけ減少され、前記差がゼロより大きい場合には、コピーウィンドウサイズは所定の量だけ増大されても良い。好ましくは、例えばジッタ（jitter）成分のような、短期間の揺らぎによる影響を防ぐため、前記タイミングシフトは平均化演算によって得られる。
【００１１】
更に前記コピーウィンドウサイズは、読み出しのために利用される放射パワー及び／又は外部磁界を変化させることにより制御されても良い。とりわけ前記外部磁界は、磁気ヘッドに供給されるコイル電流を変化させることにより変化させられても良い。レーザパワーの変化が粗い制御機能用に利用され、前記外部磁界の変化が精細な制御機能用に利用されても良く、又はその逆であっても良い。
【００１２】
好ましくは、ルックアップテーブル又は関数関係から、所定量のサイズ変化が得られても良い。前記ルックアップテーブル又は関数関係は、コピーウィンドウサイズと放射パワー及び／又は外部磁界との関係を定義する。前記放射パワーは、読み取り速度に基づいて制御されても良い。これに加えて、前記ルックアップテーブルは、前記記録媒体の半径と前記放射パワーとの間の関係を定義し、これにより読み取り速度にかかわらず略一定の読み出し温度を得る。前記ルックアップテーブルは、前記記録媒体の内径と外径との間の内挿を定義しても良い。
【００１３】
更に、前記コピーウィンドウサイズが第１の閾値より大きい場合、又は第２の閾値より小さい場合、ランレングス違反が決定されても良い。前記閾値違反は、ＤＣフリー（DC free）の変調符号から信号のランニング・ディジタル・サムを算出することにより検出されても良い。前記コピーウィンドウサイズは、前記記録媒体の予め記録された制御情報を利用して測定又は訂正されても良い。
【００１４】
他の有利な更なる発展例は従属請求項において定義される。
【発明を実施するための最良の形態】
【００１５】
以下において、添付する図を参照しながら、好適な実施例に基づき本発明が説明される。
【００１６】
図１に示されるように、ＭＡＭＭＯＳディスクプレイヤに基づいて、好適な実施例が以下に説明される。
【００１７】
図１は、好適な実施例によるディスクプレイヤの構成を模式的に示す。前記ディスクプレイヤは、記録の間に符号データと同期する周期を持つパルスに変換された光を用いた光磁気ディスクのような光磁気記録媒体又は記録担体１０の照射のためのレーザ光放射部を持つ光ピックアップユニット３０を有し、光磁気ディスク１０における記録時及び再生時に制御された方法で磁界を供給する磁気ヘッド１２を有する磁界供給部をも有する。光ピックアップユニット３０において、レーザはレーザ駆動ユニットに接続される。該レーザ駆動ユニットは、記録／読み出しパルス調節ユニット３２から記録及び読み出しパルスを受信して、これにより記録及び読み出し動作の間、光ピックアップユニット３０のレーザのパルス振幅及びタイミングを制御する。記録／読み出しパルス調節ユニット３２は、ＰＬＬ（Phase Locked Loop）回路を有しても良いクロック発生器２６からクロック信号を受信する。
【００１８】
簡略化の理由から、磁気ヘッド１２及び光ピックアップユニット３０は図１においてディスクの反対側に示されていることに留意されたい。しかしながら、好適な実施例によれば、これらはディスク１０の同一の側に配置されるべきである。
【００１９】
磁気ヘッド１２はヘッド駆動ユニット１４に接続され、記録時に変調器２４から位相調節回路１８を介して符号変換されたデータを受信する。変調器２４は入力される記録データＤＩを所定の符号に変換する。
【００２０】
再生時には、ヘッドドライバ１４は、タイミング及び制御回路３４から再生調節回路２０を介してタイミング信号を受信する。再生調節回路２０は、磁気ヘッド１２に供給されるパルスのタイミング及び振幅を調節するための同期信号を生成する。タイミング及び制御回路３４は、後述するデータ読み出し動作からタイミング信号を得る。かくしてデータ依存の磁界切り換えが達成されることができる。記録／再生スイッチ１６は、記録時及び再生時において、ヘッドドライバ１４に供給されるそれぞれの信号を切り換える又は選択するために備えられる。
【００２１】
更に光ピックアップユニット３０は、ディスク１０から反射されたレーザ光を検出し、復号化器２８に供給される対応する読み取り信号を生成するための検出器を有する。復号化器２８は、出力データＤＯを生成するために、前記読み取り信号を復号化するように構成される。更に、光ピックアップユニット３０によって生成された読み取り信号はクロック発生器２６に供給される。クロック発生器２６においては、ディスク１０の型押しされたクロックマークからクロック信号が抽出される。クロック発生器２６は、同期の目的のため、記録パルス調節回路２３及び変調器２４に前記クロック信号を供給する。とりわけ、クロック発生器のＰＬＬ回路においてデータチャネルクロックが生成されても良い。クロック発生器２６から得られるクロック信号は再生調節回路２０にも供給されても良いことに留意されたい。これにより、タイミング及び制御回路３４によって制御されるデータに依存する切り換え又は同期を支援し得る参照又は予備同期を提供できる。
【００２２】
データ記録の場合、光ピックアップユニット３０のレーザは、前記データチャネルクロックの周期に対応する一定の周波数を用いて変調され、回転するディスク１０のデータ記録エリア又はスポットは、等距離で局所的に加熱される。加えて、クロック発生器２６によって出力される前記データチャネルクロックは、標準のクロック周期を持つデータ信号を生成するため、変調器２４を制御する。前記記録データは、前記記録データの情報に対応するバイナリのランレングス情報を得るために、変調器２４によって変調され符号変換される。
【００２３】
光磁気記録媒体１０の構造は、特開２０００−２６００７９に記載された構造に対応しても良い。
【００２４】
図１に示される好適な実施例においては、タイミング及び制御回路３４は、データ依存のタイミング信号を再生調節回路２０に供給するように備えられる。代替としては、外部磁界のデータ依存の切り換えは、タイミング信号をヘッドドライバ１４に供給し、それにより外部磁界のタイミング又は位相を調節することにより達成されても良い。必要とされるタイミング情報はディスク１０上の（ユーザ）データから得られる。このことを達成するため、再生調節回路２０又はヘッドドライバ１４は、通常拡大方向である外部磁界を生成するために磁気ヘッドを制御するように構成される。光ピックアップユニット３０の出力部においてＭＡＭＭＯＳピークの立ち上がり信号端がタイミング及び制御回路３４によって観測された場合、前記タイミング信号が再生調節回路２０に供給され、それによりヘッドドライバ１４が短い時間の後に磁界を反転するように制御され、それにより読み出し層における拡大された磁区を崩壊させ、その少し後に、前記磁界を拡大方向に再設定する。前記ピークの検出と前記磁界の再設定との間の合計時間は、ディスク１０における１つのチャネルビット長（ディスクの線速度倍）に対応するように、タイミング回路３４によって設定される。
【００２５】
上述のデータ依存の磁界切り換え方法を用いると、同期はもはや読み出しの間に要求されない。なぜなら切り換え時間はデータから直接に導出されるからである。更に、前記導出される切り換え時間は、正確なデータクロックを提供するために、クロック発生器２６のＰＬＬ回路用の入力として更に有利に利用されることができる。かくして、前記時間遅延中のスペースのランレングス情報に基づき、より正確なデータ回復が得られる。
【００２６】
図２及び３は、（上から下の順に）マーク領域及びスペース領域（それぞれ上向き及び下向きの矢印で示される）を持ちコピー操作の空間的な幅を示すコピーウィンドウサイズｗを持つ記憶層と、オーバラップ信号の波形と、交番する外部磁界と、ＭＡＭＭＯＳ読み出し信号とを図示する図を模式的に示す。前記オーバラップ信号は、保磁力プロファイルと漏れ磁界との間のオーバラップの時間依存する値を示し、外部磁界が印加されたときにＭＡＭＭＯＳ信号又はピークをもたらす。とりわけ、ＭＡＭＭＯＳピークは正の磁界の期間に生成される。前記オーバラップ信号は隣接する（前の又は次の）正の外部磁界の期間まで延び得るという事実のため、付加的なピークがＭＡＭＭＯＳ信号中に生成され得る。
【００２７】
図２において、２つの−Ｉ２のスペースのランレングス（それぞれ２つのチャネルビット長の連続するスペース領域、即ち２つの下向きの矢印に対応し、「−」はスペースを示す）と、１つのＩ３のマークのランレングス（３つのチャネルビット長の連続するマーク領域、即ち３つの上向きの矢印に対応する）とを有するデータパターンを持つ記憶層が示されている。例えば（図２に示されるような）チャネルビット長ｂの半分に等しいような、ゼロより大きいコピーウィンドウサイズｗについては、各マークのランレングスは、模式的に示された記憶層における１つのセクションに対応するチャネルビット長によって該ランレングスを除算した値よりも、少なくとも１つ多いＭＡＭＭＯＳピークをもたらす。かくして、Ｉ１のマークのランレングス（１チャネルビット長）は、１つではなく２つのＭＡＭＭＯＳピークをもたらし、Ｉ２のマークのランレングス（長さ２ｂ）は２つではなく３つのＭＡＭＭＯＳピークをもたらす等する。しかしながら、１チャネルビット長に等しいスペースのランレングスは遅延を持たず、それ故検出されることができないことは明らかである。
【００２８】
スペースのランレングスは、次のＭＡＭＭＯＳピークが出現する前に拡大方向（正値）に前記磁界が留まっている時間即ち遅延ｄより導出されることができる。この時間遅延ｄは、図２及び３に示される。例えばヘッドドライバ１４の出力信号に基づいて前記磁界の立ち上がり信号端がタイミング及び制御回路３４によって観測された場合、タイミング及び制御回路３４に備えられたタイマ回路又はタイマ機能が始動され、次のＭＡＭＭＯＳピークの立ち上がり信号端が光ピックアップユニット３０の出力部において検出されるまでの時間を計数する。とりわけ、タイミング及び制御回路３４において決定される遅延ｄは、スペースのランレングスの滑らかな関数である。前記決定された遅延ｄは、タイミング及び制御回路３４から復号化器２８に供給されることができ、それによりスペースのランレングスについての正しい又は正確な復号化機能が達成されることができる。それ故、本方式におけるスペースのランレングスは、次のＭＡＭＭＯＳピークが出現する前の、前記磁界が拡大方向にある時間（即ち遅延）より導出されることができる。該遅延時間が一定の時間を持たないという事実のため、以下に示すように、前記チャネルビット長よりも短い時間シフトが決定されることができ、コピーウィンドウサイズを制御するために利用されることができる。
【００２９】
図３の図においては、例えば最初に示された少なくとも１つの理由のため、前記コピーウィンドウサイズが増大させられている。図２と図３とを比較すると、コピーウィンドウのサイズｗにおける変化が、Δτ＝Δｗ／２に等しい前記信号のタイミングにおけるシフトを引き起こすことが明白となる。ここでΔｗはコピーウィンドウサイズにおける変化を示し、Δτはディスク速度ｖのために訂正されたタイミングシフトを示す。前記タイミングシフトは、図２における状況、即ちより小さなウィンドウサイズに対応する点線のＭＡＭＭＯＳピークによって示される。前記コピーウィンドウサイズが所定の許容範囲内にある限りは、読み出し誤りは起こらない。このとき、タイミングシフトΔτは、タイミング及び制御回路３４から得られた測定された遅延ｄと、検出されたスペースのランレングスとの差に等しい。ここで前記検出されたスペースのランレングスは、スペースの増大即ちチャネルビット長の整数倍であり、タイミングシフトΔτは１つのスペースの増分より小さい。
【００３０】
タイミングが図３において左へシフトされること、即ちＭＡＭＭＯＳピークが早く出現することを意味するΔτ＜０である場合、コピーウィンドウサイズｗが所定の小さな増分だけ減少させられるべきである。タイミングが図３において右へシフトされること、即ち、ＭＡＭＭＯＳピークが遅く出現することを意味するΔτ＞０である場合、コピーウィンドウサイズｗは所定の小さな増分だけ増大させられるべきである。実際には、Δτの平均値がコピーウィンドウサイズｗを訂正又は制御するために利用されることができ、これによりジッタ成分のような望まれないタイミング効果を除去する。
【００３１】
コピーウィンドウサイズｗの制御は、Δτ＞０の場合には所定の量だけピックアップユニット３０のレーザパワーを増大させてコピーウィンドウサイズｗを増大させるように、及びΔτ＜０の場合には所定の量だけピックアップユニット３０のレーザパワーを減少させコピーウィンドウサイズｗを減少させるように、タイミング及び制御回路３４にピックアップユニット３０を制御させることにより実行されても良い。代替として前記タイミング回路は、Δτ＞０の場合には所定の量だけ磁気ヘッド１２のコイル電流を（即ち外部磁界を）増大させてコピーウィンドウサイズｗを増大させるように、及びΔτ＜０の場合には所定の量だけ前記コイル電流を減少させてコピーウィンドウサイズｗを減少させるように、ヘッドドライバ１４を制御するように構成されても良い。更に前記タイミング回路は、前記コピーウィンドウの効率及び／又は分解能を改善するため、レーザパワーとコイル電流との組み合わせられた制御を実行するように構成されても良い。とりわけ、粗い制御が前記レーザパワーを利用して実装され、一方でコイル制御を利用した付加的な精細な制御が追加されても良く、その逆でも良い。
【００３２】
前記コピーウィンドウサイズの増大又は減少の大きさ又は量は、例えばタイミング及び制御回路３４において備えられるルックアップテーブル又は関数より得られることができる。該ルックアップテーブル又は関数により、レーザパワー及び／又は外部磁界に対するコピーウィンドウのサイズの関係が保存され又は定義される。例えばＣＡＶ（定角速度）動作又は種々の読み出し速度のような、ディスク１０の高い線速度に対しては、レーザパワーは、同一の温度、従って同一のコピーウィンドウサイズｗを達成又は取得するために増大させられるべきである。従って前記ルックアップテーブルは、付加的な制御パラメータとしてディスク１０の記録半径、又は内径と外径との間の内挿方式をも含んでも良い。
【００３３】
好適な実施例による上述のコピーウィンドウ制御方式の偶発的な失敗の場合、即ち前記コピーウィンドウ制御が結果のサイズｗ＞ｗｍａｘ又はｗ＜ｗｍｉｎをもたらした場合は、該失敗はランレングス制約の違反を示すものとして利用されることができる。この状況は、例えばＤＣフリーの符号から信号のランニング・ディジタル・サムを算出することにより検出されることができる。違反が存在する場合、ピックアップユニット３０から得られた符号化された出力信号はＤＣフリーのものではない。従って、ランニング・ディジタル・サムは正常なゼロ値から逸脱する。
【００３４】
ｗ＞ｗｍａｘの場合、最小のマーク又はスペースのランレングスは存在せず、最大の検出されたマークのランレングスは最大許容ランレングスより大きく、及び／又は最大のスペースのランレングスは存在しない。
【００３５】
一方、ｗ＜ｗｍａｘの場合、マークのランレングスから十分なＭＡＭＭＯＳピークが得られないか又はＭＡＭＭＯＳピークが得られず、多過ぎる小さなスペースが存在し、及び／又は最大のスペースが長すぎる。
【００３６】
かような失敗が検出された場合、ディスク１０に備えられた専用のランイン（run-in）・フィールドが、前記コピーウィンドウの測定及び訂正のために利用されても良い。
【００３７】
本発明は、データに依存する磁界切り換えを用いる磁区拡大光磁気ディスク記憶システムのための、いずれの読み取りシステムにも適用されることができることに留意されたい。タイミング及び制御回路３４の機能は、別個のハードウェアユニット、又はより一般的な処理ユニットを制御する対応する制御プログラムによって備えられても良い。好適な実施例はかくして、添付された請求項の範囲内で異なり得る。
【図面の簡単な説明】
【００３８】
【図１】本発明の実施例による、光磁気ディスクプレイヤの模式的な図を示す。
【図２】１チャネルビット長に対応する一定の磁界周期及び１つのチャネルビット長の半分に対応するコピーウィンドウサイズを用いた、ＭＡＭＭＯＳ読み出し動作についての読み出し波形を示す。
【図３】増大されたウィンドウサイズ及び１チャネルビット長に対応する一定の磁界周期を用いた、読み出し動作についての読み出し波形を示す。
【図１】
2005521988.tif 000003
【図２】
2005521988.tif 000004
【図３】
2005521988.tif 000005
【国際調査報告】
2005521988.tif 000006
2005521988.tif 000007